(57)【特許請求の範囲】
【請求項１】
パネルを上下の補助レールを介して床と天井の間に取り付けるに際して、先ず下補助レールを床に仮固定するとともに上補助レールを天井に本固定し、次に上下の補助レール間にパネルを傾倒しないように保持させ、しかる後、パネル下端と床との入り隅部に固定具を配置し、この固定具の一部をパネル下端に固定し他の一部を床にアンカー固定することによりパネル下端を床に本固定するようにしたことを特徴とする可動間仕切の施工方法。
【請求項２】
床に仮固定具を介して下補助レールを接着し、この下補助レールにパネル下端をパネル厚み方向へ移動しないように凹凸係合させるようにしている請求項１記載の可動間仕切の施工方法。
【請求項３】
パネル側縁にジャッキ手段を備えた支柱を配置し、支柱側縁及びパネル側縁に設けた凹凸係合部を係合させて支柱をジャッキアップすることにより、支柱とパネルの間の前後左右及び上下の相対的な位置決めをなすようにしている請求項１又は２記載の可動間仕切の施工方法。
【請求項４】
支柱上端及びパネル上端を支柱本体及びパネル本体に対して上下動可能とし、これら支柱上端及びパネル上端を圧縮バネで上方に付勢している請求項３記載の可動間仕切の施工方法。
【請求項５】
パネル下端をパネル本体に対して上下動可能とし、このパネル下端を自重により下方に付勢している請求項３又は４記載の可動間仕切の施工方法。
【請求項６】
パネル上端をパネル厚み方向へ位置ずれしないように係合させる上補助レールと、この上補助レールを天井に本固定する上固定具と、パネル下端をパネル厚み方向へ位置ずれしないように係合させる下補助レールと、この下補助レールを床に仮固定する仮固定具と、パネル下端と床との入り隅部に配置され一部をパネル下端に固定し他の一部を床にアンカー固定することによりパネル下端を床に固定する本固定具とを備えることを特徴とする可動間仕切。
【請求項７】
仮固定具が接着により下補助レールを床に仮固定するものである請求項６記載の可動間仕切。
【発明の詳細な説明】
【技術分野】
【０００１】
本発明は、建築構造物の内部空間を必要に応じて間仕切る際に利用される可動間仕切の施工方法及び可動間仕切に関するものである。
【背景技術】
【０００２】
可動間仕切は、例えば特許文献１に示されるように、上下レール（上下枠）をそれぞれ床及び天井に配置し、これらのレール間にパネルを取り付けるのが通例である。その際、両レールを当初から床及び天井にアンカー固定し、これらのレールを始めとして化粧用の幅木や笠木等の各種パーツも、現場にて採寸し、電動工具を用いて所要長さにカットするようにしていた。
【特許文献１】特開２００５−９２６３
【発明の開示】
【発明が解決しようとする課題】
【０００３】
ところが、このような構造であると、オフィスビル等において可動間仕切を施工する際、床へのアンカー固定や各種パーツのカット時に大音量や振動が発生するため、他の階における執務の妨げになってしまう。このため、一般執務時間で工事をすることができず、可動間仕切の納品は土日・あるいは平日深夜に集中して行なうことを余儀なくされている。また、アンカー固定や各種パーツのカットに労力と時間を要するため、施工時間全体の長時間化を招いているという問題もある。
【０００４】
本発明は、このような課題を有効に解決することを目的としている。
【課題を解決するための手段】
【０００５】
本発明は、かかる目的を達成するために、次のような手段を講じたものである。
【０００６】
すなわち、本発明に係る可動間仕切の施工方法は、パネルを上下の補助レールを介して床と天井の間に取り付けるに際して、先ず下補助レールを床に仮固定するとともに上補助レールを天井に本固定し、次に上下の補助レール間にパネルを傾倒しないように保持させ、しかる後、パネル下端と床との入り隅部に固定具を配置し、この固定具の一部をパネル下端に固定し他の一部を床にアンカー固定することによりパネル下端を床に本固定するようにしたことを特徴とする。
【０００７】
このようにすれば、大音響や振動の原因となる床への本固定の工程を切り離して、先ずは大音響や振動を発生させない作業のみからなる工程で間仕切の仮施工を完了することができ、本固定の工程を切り離すことで作業時間の短縮化も図れる。このため、大音響や振動の原因とならない作業を平日日中に短時間で行うことを可能にするとともに、大音響や振動の原因となる作業のみを深夜や休日等に短時間で終わらせて無理なく所要の施工強度を担保することが可能となる。
さらに、仮施工状態から一部の解体作業等を要さずして簡単に本固定作業を行なうことができ、後工程の迅速的確性も有効に担保することができる。
【０００８】
下補助レール周辺の好ましい実施の方法としては、床に面ファスナや両面テープ等の仮固定具を介して下補助レールを接着し、この下補助レールにパネル下端をパネル厚み方向へ移動しないように凹凸係合させるようにしているものが挙げられる。
【００１０】
上補助レール周辺の好ましい実施の方法としては、天井に上補助レールを本固定し、この上補助レールにパネル上端をパネル厚み方向へ移動しないように凹凸係合させるようにしているものが挙げられる。
【００１１】
レベル調整等を有効に行うとともに、仮施工工程を確実なものにするためには、パネル側縁にジャッキ手段を備えた支柱を配置し、支柱側縁及びパネル側縁に設けた凹凸係合部を係合させて支柱をジャッキアップすることにより、支柱とパネルの間の前後左右及び上下の相対的な位置決めをなすようにしていることが望ましい。
【００１２】
特に、支柱上端及びパネル上端を支柱本体及びパネル本体に対して上下動可能とし、これら支柱上端及びパネル上端を圧縮バネで上方に付勢したり、パネル下端をパネル本体に対して上下動可能とし、このパネル下端を自重により下方に付勢する方法が有効となる。
【００１３】
上下の補助レールの好ましい取扱い方法としては、パネル幅よりも長尺なものを用意して施工時に手動剪断具に操作力を加えて所定長さに切断するようにしているものが挙げられる。
可動間仕切としては、パネルを上下の補助レールを介して床と天井の間に取り付けるに際して、先ず下補助レールを床に仮固定するとともに上補助レールを天井に本固定し、次に上下の補助レール間にパネルを傾倒しないように保持させ、しかる後、パネル下端と床との入り隅部に固定具を配置し、この固定具の一部をパネル下端に固定し他の一部を床にアンカー固定することによりパネル下端を床に本固定するようにしたものが挙げられる。
特に仮固定具には、接着により下補助レールを床に仮固定するものを採用することが好適である。
【発明の効果】
【００１４】
本発明は、以上説明した構成であるから、大音響や振動の発生要因のみを切り離して後工程で行なうことができ、これにより平日昼間であっても可動間仕切を簡潔な作業を通じて短時間のうちに支障なく納品することを可能にする優れた可動間仕切の施工方法及び当該可動間仕切を提供することが可能となる。
【発明を実施するための最良の形態】
【００１５】
以下、本発明の一実施形態を、図面を参照して説明する。
【００１６】
この可動間仕切は、テナントビル等の建築構造物に適用されるもので、図１に示すように、パネル１を上下の補助レール２、３を介して床Ｆと天井Ｃの間に取り付け、これにより内部空間を必要に応じて間仕切るものである。そして、その作業を、図２に示すように下補助レール３を仮固定具５を介し床Ｆに仮固定するとともに上補助レール２を固定具たるねじＶ１を介し天井Ｃに本固定して、両補助レール２、３間にパネル１を傾倒しないように保持させる前工程と、図３に示すようにパネル下端をなす幅木レール１２を本固定具４を用いて床Ｆに本固定する後工程とに分けて行い得るようにしている。
【００１７】
具体的に説明すると、図１及び図２に示すように、パネル１はパネル本体１０の上下にパネル上端をなす天レール１１及びパネル下端をなす幅木レール１２を備える。これら両レール１１、１２はパネル単位で割り付けられている。
【００１８】
パネル本体１０は構造枠体１０ａのパネル厚み方向に沿った両面に面材１０ｂを取り付けた構造をなすもので、その構造枠体１０ａの側枠材１０ａ１に外側方に向けて凹凸係合部たる係合爪１０ｃを下向きに屈曲させて設けている。幅木レール１２は、図４に示すように面材１０ｂの下端部間に上下動可能に配されるもので、横断面上向きチャネル状をなし、下面に長手方向に沿って横断面方形状に凹む溝１２ａと、上端に外方に向けてアングル状に折れ曲がる係合片１２ｂとを設けている。この幅木レール１２は、外力が加わらなければ図４に矢印で示すように自重により降下して構造枠体１０ａの下方に折り曲げて形成した受け１０ａｘに係止される位置にあり、床Ｆから垂直抗力を受ければ構造枠体１０ａの下枠材１０ａ２に当接する位置まで上動して停止される。
【００１９】
天レール１１は、図５に示すように面材１０ｂの上端部間に上下動可能に配されるもので、上向きチャネル状の内レール材１１ａと、この内レール材１１ａの外壁に密着して設けられ上端が内向きアングル状に折れ曲がる外レール材１１ｂとからなる。内レール材１１ａには、構造枠体１０ａの上枠材１０ａ３に固設したボルト１０ｄの軸部が貫通させてあり、そのボルト１０ｄの軸部に圧縮バネ１０ｅを外装して構造枠体１０ａの上枠材１０ａ３と内レール材１１ａの底面とに弾接させ、これにより天レール１１を上方に向けて付勢している。この天レール１１は、外力が加わらなければボルト１０ｄの頭部によって規制される図５の上動位置にあり、ボルト１０ｅを中心として上動位置規制構造をなしている。
【００２０】
下補助レール３は、図４に示すように仮固定具５を介して床Ｆに仮固定される概略チャネル状のもので、前記幅木レール１２の溝１２ａに嵌合する横断面形状及びパネル幅よりも長尺な寸法を有し、金切ばさみ等の手動剪断具に操作力を加えて切断し得る範囲で剛性を有する素材からなる。この下補助レール３を床Ｆに仮固定するための仮固定具５には、面ファスナや両面テープ等が使用される。また、上補助レール２は、図５に示すようにねじＶ１を介して天井Ｃにアンカー固定されるもので、前記天レール１１を構成する外レール材１０ｂの内法間に嵌合する横断面形状及びパネル幅よりも長尺な寸法を有し、同じく金切ばさみ等の手動剪断具に操作力を加えて切断し得る範囲で剛性を有する素材からなる。
【００２１】
そして、本実施形態はかかるパネル１を、図２に示すようにパネル側縁に配置した支柱６に支持させるようにしている。支柱６は、支柱本体６０の上下に支柱上端をなす上カバー材６１及び支柱下端をなす下ベース材６２を備えている。支柱本体６０は剛性のある角パイプ材からなるもので、その両側壁に前記係合爪１０ｃを水平に受け入れた後に相対的に降下させることによって前後左右及び上下に緊密に係合可能な凹凸係合部たるフック孔６０ａを設けている。下ベース材６２及び上カバー材６１は、支柱本体６０の前後壁の上端部間及び下端部間に上下動可能に配されるもので、横断面下向きチャネル状又は上向きチャネル状をなしている。下ベース６２の下面には長手方向に沿って前記パネル１の溝１２ａと同様の溝６２ｘが設けてある。上カバー材６１と支柱本体６０との間には圧縮バネ６３が弾接させてあり、これにより上カバー材６１を上方に向けて付勢している。この上カバー材６１にも、天レール１１と同様の上動位置規制構造を採り入れてもよい。
【００２２】
そして本実施形態は、図２及び図６に示すように、支柱本体６０と下ベース材６２との間にジャッキ手段６４を組み込んでいる。このジャッキ手段６４は、外部からの操作力で下ベース材６２を足場に支柱本体６０を持ち上げ得るようにしたもので、下ベース材６２の水平部に設けたねじ孔６２ａｘを有するナット部材６２ａにねじ送り可能に螺合された昇降軸６４ａと、この昇降軸６４ａに軸着された傘歯車６４ｂと、支柱本体６０の前壁に回転可能に設けられた操作軸６４ｃと、この操作軸６４ｃのうち前記傘歯車６４ｂに噛合する位置に軸着された傘歯車６４ｄとを具備する。そして、操作軸６４ｃの端部がレンチ等で回転操作されると、傘歯車６４ｄ、６４ｂを介して昇降軸６４ａが回転し、ねじ孔６２ａｘを介しこの昇降軸６４ａが傘歯車６４ｄ、６４ｂ同士の噛合状態を保ったまま操作軸６４ｃとともに昇降して、支柱本体６０をジャッキアップするようにしている。操作軸６４ｃの端部は、図７に示すように左右のパネル１の側縁間に形成される目地ｍを通して操作可能なように外部に表出させてある。
【００２３】
本固定具４は、図１及び図３に示すように、幅木レール１２と床Ｆとの入り隅部に配置される三角柱状の固定具本体４１と、この固定具本体４１に装着されるカバー４２とからなるもので、固定具本体４１には、立面に水平にねじ挿通孔４１ａが開口し、斜面に斜めにねじ挿通孔４１ｂが開口している。
【００２４】
なお、この実施形態では、パネル本体１０が図２に示すように上パネル要素１０１及び下パネル要素１０２に分割して構成され、天レール１１が上パネル要素１０１に、幅木レール１２が下パネル要素１０２にそれぞれ付帯していて、各々のパネル要素１０１、１０２の係合爪１０ｃを支柱６のフック孔６０ａに係合させた状態でパネル要素１０１、１０２同士を凹凸係合構造Ｘを介して厚み方向に位置決め状態で上下に嵌合するように構成してあるが、パネル本体１０を一体的に構成しても勿論構わない。
【００２５】
ここで、本実施形態に係る可動間仕切の施工方法について説明する。先ず、図２に示すように、建築構造物の内部空間であって間仕切りを要する部位の床Ｆ及び天井Ｃにそれぞれ下補助レール３及び上補助レール２を取り付ける。下補助レール３は前述したように仮固定具５を介して床Ｆに仮固定し、上補助レール１１はねじＶ１により天井Ｃに本固定する。
【００２６】
次に、これら上下の補助レール１１、１２間にパネル１を取り付ける。それに先だって、パネル１を配置すべき場所の隣接位置に支柱６を配置する。具体的には、支柱６の上カバー材６１を上補助レール２の外側に呑み込ませるように係合させ、下ベース材６２の溝６２ｘを下補助レール３に嵌合させて、必要であればジャッキ手段６４の操作軸６４ｃを操作して支柱６が上下の補助レール２、３間に圧縮バネ６３を圧縮しつつある程度突っ張った状態で自立するようにセットする。そして、支柱６の側縁にパネル１の側縁を隣接させて、パネル１の係合爪１０ｃを支柱６のフック孔６０ａに係合させる。このとき、天レール１１を上補助レール２を呑み込ませるようにして当該上補助レール２に外嵌させて係合させ、幅木レール１２の溝１２ａを下補助レール３に嵌合させる。そして、ジャッキ手段６４を操作して、支柱６をパネル１とともにジャッキアップする。これにより、支柱６及びパネル１に配した圧縮バネ６３、１０ｅが圧縮されつつ、図９（ａ）→（ｂ）に示すように支柱本体６０がパネル本体１０とともに上昇して、支柱６全体の天井Ｃと床Ｆとの間の突っ張り度を増すと同時に、パネル１に設けた係合爪１０ｃが支柱６のフック孔６０ａにより深く係合し、パネル１はこの支柱６に強固に保持される。パネル１は図８（ａ）→（ｂ）に示すように圧縮バネ１０ｅを圧縮しながらこれに追従し、天レール１１をパネル本体１０内に没入させながら、天レール１１を介して上補助レール２とより深く係合する。この間、幅木レール１２はパネル本体１０に対して相対的に昇降可能であるから、パネル本体１０が上昇しても自重により支柱６の下ベース材６２とともに床Ｆに接地した状態を維持する。
【００２７】
なお、本実施形態では、前述したようにパネル本体１０が上パネル要素１０１と下パネル要素１０２に分離している。このため、先ず下パネル要素１０２の係合爪１０ｃを支柱６のフック孔６０ａに凹凸係合させて下補助レール３に係合させ、しかる後、上パネル要素１０１をけんどん方式で上補助レール２と下パネル要素１０２とに係合させつつ上パネル要素１０１の係合爪１０ｃを支柱６のフック孔６０ａに凹凸係合させることとなる。勿論、パネル本体１０を一体ものとすることもでき、この場合はパネル本体１０をけんどん方式で上補助レール２と下補助レール３に係合させ、その間、或いはその後において支柱６のフック孔６０ａにパネル１の係合爪１０ｃを係合させることとなる。
【００２８】
この実施形態では、幅木レール１２のパネル本体１０に対する上動位置が規制されており、幅木レール１２を最大限に呑み込んだ状態でパネル本体１０を幅木レール１２を介して床Ｆに載荷させることもできるため、先にパネル１を配置し、その後に支柱６を隣接させてパネル１の係合爪１０ｃに支柱６のフック孔６０ａを係合させる手順も可能である。この場合も、その後にジャッキ手段６４を用いてジャッキアップすれば、上記と同様の結果となる。
【００２９】
何れにせよ、本実施形態はこのような手順を終えた段階で仮施工を完了するものである。そして、後工程として、図３に示すように、本固定具４のねじ挿通孔４１ａにねじＶ２を挿通して幅木レール１２に締着し、ねじ挿通孔４１ｂにねじＶ３を挿通して床Ｆにアンカー固定すれば、全ての作業が完了することとなる。
【００３０】
以上のように、本実施形態に係る可動間仕切の施工方法は、下補助レール３を床Ｆに仮固定し上補助レール２を天井Ｃに本固定して、両補助レール２、３間にパネル１を傾倒しないように保持させる前工程と、パネル下端をなす幅木レール１２を本固定具４を用いて床に本固定する後工程とに工程を分けて実施し得るようにしたものである。
【００３１】
このため、前工程では、階下への大音響や振動の原因となる床Ｆのスラブ材へのアンカー固定等を回避することができ、上補助レール２の天井Ｃへのアンカー固定等は、スラブ材等に対するものではないため階上に響き難く、当初より本固定を支障なく行なうことができる。このようにして、上下の補助レール２、３間にパネル１を傾倒しないように保持させた状態で一旦施工を終えれば、上下の補助レール２、３等を現場でカットすることを不要にした点も相まって、大音響や振動を発生させることなく大半の施工を前工程で短時間のうちに簡潔に完了することができる。このため、この前工程を平日日中であっても有効に行なうことが可能となる。また、後工程である本固定具４の床Ｆへのアンカー固定は大音響や振動の原因となる可能性があるが、後工程は基本的にこの本固定具４による固定作業のみからなるため、この作業を深夜や休日等に短時間で終わらせることができ、簡単にして所要の施工強度を有効に担保することが可能となる。
【００３２】
特に、床Ｆに仮固定具５を介して下補助レール３を取着し、この下補助レール３にパネル下端をなす幅木レール１２をパネル厚み方向へ移動しないように凹凸係合させるようにしているので、下補助レール３の床Ｆへの取り付け作業が簡素となり、しかも下補助レール３に幅木レール１２を凹凸係合させることでパネル１、１同士の位置決め手段としても有効に活用することが可能となる。
【００３３】
そして、下補助レール１２と床Ｆとの入り隅部に本固定具４を配置し、この本固定具４の一部をパネル下端をなす幅木レール１２に固定し他の一部を床Ｆにアンカー固定することにより本固定を行うようにしているので、仮施工状態から一部の解体作業等を要さずして簡単に本固定作業を行なうことができ、後工程の迅速的確性も有効に担保することができる。
【００３４】
また、天井Ｃに上補助レール２を本固定し、この上補助レール２にパネル上端をなす天レール１１をパネル厚み方向へ移動しないように凹凸係合させるようにしているので、仮施工の状態でも上補助レール２にパネル１を転倒し得ないように有効に保持させることができ、しかも上補助レール２に天レール１１を凹凸係合させることでパネル１、１同士の位置決め手段としても有効に活用することが可能となる。
【００３５】
さらに、パネル側縁にジャッキ手段６４を備えた支柱６を配置し、パネル側縁に設けた凹凸係合部たる係合爪１０ｃと支柱側縁に設けた凹凸係合部たるフック孔６０ａとを係合させて支柱６をジャッキアップすることにより、支柱６とパネル１を前後左右及び上下に相対的に位置決めした状態で連結するようにしているので、パネルの仮施工時の強度が確保され、本固定箇所を減らして後工程を一層スムーズに行なうことが可能となる。
【００３６】
この場合、支柱上端をなす上カバー材６１及びパネル上端をなす天レール１１をそれぞれ支柱本体６０及びパネル本体１０に対して上下動可能とし、これら上カバー材６１及び天レール１１を圧縮バネ６３、１０ｅで上方に付勢するようにしているので、レベル調整を有効に行なうことができると同時に、ジャッキアップにつれて床Ｆと天井Ｃの間の突っ張り力を有効に高めることができる。特に、これら上カバー材６１及び天レール１１を上補助レール２にパネル厚み方向に係合させてジャッキアップを行うようにしているので、ジャッキアップの前後に亘って支柱６及びパネル１の転倒を有効に防止することが可能となる。また、これら上カバー材６１及び天レール１１を当初よりパネル単位で割り付けているため、騒音の原因となる現場カットも不要にすることができる。
【００３７】
さらに、パネル下端をなす幅木レール１２をパネル本体１０に対して上下動可能とし、この幅木レール１２を自重により下方に付勢しているので、ジャッキアップによってパネル１が浮き上がっても幅木レール１２の接地状態を維持することができ、これにより外観の毀損を有効に防止することができる。特に、幅木レール１２を下補助レール３にパネル厚み方向に係合させてジャッキアップを行うようにしているので、ジャッキアップの前後に亘ってパネル１をふらつかせることなく保持することができる。また、幅木レール１２を当初よりパネル単位で割り付けているため、騒音の原因となる現場カットも不要ならしめるものである。
【００３８】
これに対して、位置決めや係合等に必要な上下の補助レール２、３だけは、現場対応とする必要があるためにパネル幅よりも長尺なものを用意し、現場にて採寸し所定長さに切断するようにしているが、本実施形態ではこれらを手動剪断具に操作力を加えて切断し得るものにしており、電動工具を用いずに作業を行なえるようにしているので、大音響や振動の原因となることをこの点においても有効に回避し、施工時間の一層の短縮を図ることも可能となる。
【００３９】
以上のように施工される本実施形態の可動間仕切は、仮施工状態で、パネル上端たる天レール１１をパネル厚み方向へ位置ずれしないように係合させる上補助レール２と、この上補助レール２を天井Ｃに本固定する固定具たるねじＶ１と、パネル下端たる幅木レール１２をパネル厚み方向へ位置ずれしないように係合させる下補助レール３と、この下補助レール３を床Ｆに仮固定する仮固定具５とを備え、施工完了状態で、幅木レール１２を床Ｆにアンカー固定する本固定具４を更に備えることとなる。
【００４０】
仮固定具５は上記のように接着により下補助レール３を床Ｆに仮固定するものであるため作業を極めて簡便ならしめるものであり、ジャッキ手段６４を通じて付与される突っ張り力も手伝って有効な仮施工状態も維持し得るものである。また、本固定具４は、幅木レール１２と床Ｆとの入り隅部に配置されて、一部を幅木レール１２に固定し他の一部を床Ｆに固定するものであるから、仮施工後に簡単に本固定を行なうことができ、また邪魔にならない位置にコンパクトに配置しておけるものである。この本固定具４は、必要に応じてパネル１の面材１０ｂに対して直交する位置にある幅木レール１２の端面に対して取り付けることは、支柱６の下ベース材６２の前後壁に取り付けること等も有効である。
【００４１】
なお、レベル調整が不要であり、かつパネルと支柱とを落とし込んで前後左右及び上下に係合させることができれば、ジャッキ手段６４を用いない態様で実施することも可能である。また、凹凸係合部は、上記実施形態とは逆に支柱側に係合爪を、パネル側にフック孔を設けてものであってもよい。
【００４２】
その他、各部の具体的な構成は、上述した実施形態のみに限定されるものではなく、本発明の趣旨を逸脱しない範囲で種々変形が可能である。
【図面の簡単な説明】
【００４３】
【図１】本発明の一実施形態に係る間仕切を施工完了状態で示す断面図。
【図２】同実施形態に係る施工方法の前工程を示す概略的な斜視図。
【図３】同実施形態に係る施工方法の後工程を示す斜視図。
【図４】パネル下端及び下補助ベースの構造を示す部分断面図。
【図５】パネル上端及び上補助ベースの構造を示す部分断面図。
【図６】ジャッキ手段を示す部分断面図。
【図７】ジャッキ手段の操作部分を示す部分正面図。
【図８】同実施形態の作用説明図。
【図９】同実施形態の作用説明図。
【符号の説明】
【００４４】
１…パネル
２…上補助レール
３…下補助レール
４…本固定具
５…仮固定具
６…支柱
１０ｃ…凹凸係合部（係合爪）
１０ｅ、６３…圧縮バネ
１１…パネル上端（天レール）
１２…パネル下端（幅木レール）
６０ａ…凹凸係合部（フック孔）
６４…ジャッキ手段
Ｃ…天井
Ｆ…床
Ｖ１…上固定具（ねじ）
【図１】
0004780582.tif 000002
【図２】
0004780582.tif 000003
【図３】
0004780582.tif 000004
【図４】
0004780582.tif 000005
【図５】
0004780582.tif 000006
【図６】
0004780582.tif 000007
【図７】
0004780582.tif 000008
【図８】
0004780582.tif 000009
【図９】
0004780582.tif 000010